(57)【要約】【課題】除糞ピットを通じて飼育室に野良猫、狸等の害獣が侵入することを確実に防止できる、保守管理が容易でコスト面でも有利な鶏舎の除糞設備を提供する。【解決手段】飼育室１０の下方に設けられる溝構造の除糞ピット２０と、該ピット２０に落下して堆積した鶏糞Ｄを掻き取って外部に搬出すべく、前記ピット２０上を走行せしめられるスクレーパ３０とを備えた鶏舎１の除糞設備５であって、野良猫、狸等の害獣が前記ピット２０を通じて前記飼育室１０に侵入することを防止すべく、前記ピット２０と外部との間を遮断閉鎖するとともに、前記スクレーパ３０に付設された押し開き具４０が接当することによって押し開けられる侵入防止扉１５が設けられている。【選択図】図６
0003138296.tif 000002
【実用新案登録請求の範囲】
【請求項１】
飼育室の下方に設けられる溝構造の除糞ピットと、該ピットに落下して堆積した鶏糞を掻き取って外部に搬出すべく、前記ピット上を走行せしめられるスクレーパとを備えた鶏舎の除糞設備であって、野良猫、狸等の害獣が前記ピットを通じて前記飼育室に侵入することを防止すべく、前記ピットと外部との間を遮断閉鎖するとともに、前記スクレーパが接当することによって押し開けられる侵入防止扉を設けたことを特徴とする鶏舎の除糞設備。
【請求項２】
前記侵入防止扉は、自重で閉鎖位置を保つように、ヒンジ部材を介して前後方向に揺動自在に吊持され、かつ、前記害獣には開けられないように、その重量が設定されていることを特徴とする請求項１に記載の鶏舎の除糞設備。
【請求項３】
前記スクレーパに、前記侵入防止扉を押し開くための押し開き具が付設されていることを特徴とする請求項１又は２に記載の鶏舎の除糞設備。
【請求項４】
前記押し開き具は、その前後端部が前記スクレーパの前端から前方及び後端から後方にそれぞれ突出する２本の押し棒を有する梯子ないしパンタグラフ状とされていることを特徴とする請求項３に記載の鶏舎の除糞設備。
【請求項５】
前記押し開き具は、前記侵入防止扉との接当時の衝撃及び摩擦を軽減すべく、その接当部が円筒面等の曲面とされるか、もしくは、横倒しＵ字状ないしＣ字状に丸められていることを特徴とする請求項３又は４に記載の鶏舎の除糞設備。
【請求項６】
前記スクレーパは、ワイヤ等を介して牽引することより前後両方向に走行せしめられるようにされ、前記侵入防止扉に、前記牽引用のワイヤ等が通される遊挿穴が形成されるとともに、扉開閉時における前記ワイヤ等との干渉を避け、かつ、前記ワイヤ等の弛緩に対応すべく、前記遊挿穴の下側に連なって下面が開口した切欠開口部が形成されていることを特徴とする請求項１から５のいずれか一項に記載の鶏舎の除糞設備。
【考案の詳細な説明】
【技術分野】
【０００１】
本考案は、鶏舎において、鶏糞を外部（鶏糞発酵乾燥施設等）に搬出するための除糞設備に係り、特に、除糞ピットを通じて飼育室に野良猫、狸等の害獣が侵入することを確実に防止できる鶏舎の除糞設備に関する。
【背景技術】
【０００２】
ニワトリを飼育する鶏舎、特に、実験鶏を飼育する鶏舎においては、通常、鶏糞を外部（鶏糞発酵乾燥施設等）に搬出するための除糞設備が付設されている。この除糞設備は、例えば、ケージ等からなる飼育室の下方（の半地下）に設けられる溝構造の除糞ピットと、該ピットに落下して堆積した鶏糞を掻き取って外部に搬出すべく、ワイヤ等を介して牽引することより前記ピット上を走行せしめられるスクレーパとを備える。
【０００３】
このような除糞設備を備えた鶏舎にあっては、鳥インフルエンザ等の微生物病原体に対する防疫・衛生管理の他にも、鶏舎内に侵入してニワトリに危害を及ぼす野良猫、狸等の害獣によってもたらされる事故を防止することが大切であり、これまで、野鳥や害獣の侵入防止のため、鶏舎の扉・窓の開閉には十分に注意が払われていた。
【考案の開示】
【考案が解決しようとする課題】
【０００４】
しかしながら、かかる鶏舎においては、次のような問題が発生している。
【０００５】
すなわち、初生ヒナ〜体重１ｋｇ程度の比較的小型のニワトリが、飼育室（ケージ）の中から失踪したり殺されたりする原因不明の事故が時々発生している。この原因を追及した結果、野良猫、狸等の害獣の侵入によるものと判明した。これらの害獣は、外部から、鶏糞を搬出する屋外除糞ダクト、前記除糞ピット等の鶏糞搬出通路を経て屋内（飼育室）へ侵入していた。
【０００６】
ところが、鶏舎内の衛生管理上、スクレーパは定期的に走行させる必要があるため、前記除糞ピットを含む鶏糞搬出通路を完全に閉鎖することはできない。つまり、除糞ピットと外部との間を遮断閉鎖する扉を設けると、スクレーパの走行（鶏糞の搬出作業）に支障を来す。
【０００７】
また、例えば、リミットスイッチや電気式アクチュエータ等を利用して、スクレーパの走行に同期して自動的に開閉する扉を設けるという方策も考えられるが、かかる方策は、既存の設備に対して追加増設しなければならない機器・器具類が多くなり、コスト面で現実的ではなく、さらに、保守管理の面でも良策とは言えない。
【０００８】
本考案は、上記事情に鑑みてなされたもので、その目的とするところは、除糞ピットを通じて飼育室に野良猫、狸等の害獣が侵入することを確実に防止できる、保守管理が容易でコスト面でも有利な鶏舎の除糞設備を提供することにある。
【課題を解決するための手段】
【０００９】
前記の目的を達成すべく、本考案に係る鶏舎の除糞設備は、基本的には、飼育室の下方に設けられる溝構造の除糞ピットと、該ピットに落下して堆積した鶏糞を掻き取って外部に搬出すべく、前記ピット上を走行せしめられるスクレーパとを備え、野良猫、狸等の害獣が前記ピットを通じて前記飼育室に侵入することを防止すべく、前記ピットと外部との間を遮断閉鎖するとともに、前記スクレーパが接当することによって押し開けられる侵入防止扉を設けたことを特徴としている。
【００１０】
前記侵入防止扉は、好ましくは、自重で閉鎖位置を保つように、ヒンジ部材を介して前後方向に揺動自在に吊持され、かつ、前記害獣には開けられないように、その重量が設定される。
【００１１】
好ましい態様では、前記スクレーパに、前記侵入防止扉を押し開くための押し開き具が付設される。
【００１２】
前記押し開き具は、好ましくは、その前後端部が前記スクレーパの前端から前方及び後端から後方にそれぞれ突出する２本の押し棒を有する梯子ないしパンタグラフ状とされる。
【００１３】
より好ましい態様では、前記押し開き具は、前記侵入防止扉との接当時の衝撃及び摩擦を軽減すべく、その接当部が円筒面等の曲面とされるか、もしくは、横倒しＵ字状ないしＣ字状に丸められる。
【００１４】
他の好ましい態様では、前記スクレーパは、ワイヤ等を介して牽引することより前後両方向に走行せしめられるようにされ、前記侵入防止扉に、前記牽引用のワイヤ等が通される遊挿穴が形成されるとともに、扉開閉時における前記ワイヤ等との干渉を避け、かつ、前記ワイヤ等の弛緩に対応すべく、前記遊挿穴の下側に連なって下面が開口した切欠開口部が形成される。
【考案の効果】
【００１５】
上記の如くの構成とされた本考案に係る鶏舎の除糞設備では、除糞ピットと外部との間を遮断閉鎖する侵入防止扉が設けられ、この侵入防止扉は、スクレーパが接当することによって押し開けられるとともに、スクレーパが通過すると自重で閉まるようにされるので、害獣の飼育室内への侵入を確実に防止できるとともに、鶏糞の搬出作業に支障を来すことはない。
【００１６】
また、侵入防止扉は、スクレーパの走行に同期して自動的に開閉されることから、扉の開閉にリミットスイッチや電気式アクチュエータ等を利用する場合に比して、既存の設備に対して追加増設しなければならない機器・器具類が格段に少なくて済み、その結果、保守管理が容易となるとともに、コスト面でも有利となる。
【考案を実施するための最良の形態】
【００１７】
以下、本考案の実施形態を図面を参照しながら説明する。
図１は、本考案に係る鶏舎の除糞設備の一実施形態の概要を示す側面図である。
本実施形態の除糞設備５は、ケージ１１等からなる飼育室１０が設けられた鶏舎１の外壁６内に設けられており、前記飼育室１０の下方の半地下に設けられた溝構造の除糞ピット２０と、この除糞ピット２０に落下して堆積した鶏糞Ｄを掻き取って外部の鶏糞発酵乾燥施設等に搬出すべく、前記ピット２０上を走行せしめられるバーンスクレーパ３０とを備える。このスクレーパ３０は、図外のモーター駆動の巻取り機に巻回されるワイヤ５０、５０（前進用と後進用）を介して牽引することにより前後両方向に走行せしめられるようになっている。
【００１８】
前記除糞ピット２０は、飼育室１０におけるケージ１１の網状ないし格子状の底面１１ａから抜け落ちて来る鶏糞Ｄを受ける鶏糞受け面部２１を有し、この鶏糞受け部２１の後方に、前記スクレーパ３０の待機面部２２が設けられるとともに、鶏糞受け面部２１の前方に、前記スクレーパ３０により掻き取られた鶏糞Ｄを例えば鶏糞落とし込み所２５に搬出するための鶏糞搬出通路面部２３が設けられている。前記鶏糞受け面部２１、待機面部２２、及び鶏糞搬出通路面部２３は、同一水平面上に位置しており、各面部２１、２２、２３上を前記スクレーパ３０（の側板３２、３２）が摺滑走するようになっている。また、除糞ピット２０における鶏糞搬出通路面部２３上には、そこを覆うように天板７が配置されている。この天板７の左端面部７ａと前記飼育室１０の右端との間には若干の間隙が開けられている。
【００１９】
そして、本実施形態では、野良猫、狸等の害獣が、外部から鶏糞搬出ダクト、鶏糞落とし込み所２５、除糞ピット２０の鶏糞搬出通路面部２３等を通じて飼育室１０内に侵入することを防止すべく、ピット２０と外部との間（ここでは、鶏糞搬出通路面部２３上）を遮断閉鎖するとともに、前記スクレーパ３０が接当することによって押し開けられる矩形板状の侵入防止扉１５が設けられている。
【００２０】
この侵入防止扉１５は、鶏糞に対する腐食防止と摩擦による摩耗防止の観点からステンレス製とされており、図４に示される如くに、自重で閉鎖位置を保つように、前記天板７の左端面部７ａにヒンジ部材（蝶番）１６を介して前後方向に揺動自在に吊持され、かつ、ピット２０内に吹き込まれる風によって押し開けられないようにすべく、ピット２０の内壁面との間に風抜き用の隙間Ｓ（例えば２０ｍｍ程度）が空くように、その大きさが設定されるとともに、野良猫、狸等の害獣には開けられないように、下端部の左右に厚板からなる重り１７、１７が取り付けられて、その重量が５ｋｇ程度に設定されている。
【００２１】
また、侵入防止扉１５には、その中央部付近に、前記牽引用のワイヤ５０が余裕をもって通される遊挿穴２６（例えば直径が約５０ｍｍの丸穴）が形成されるとともに、扉開閉時におけるワイヤ５０との干渉を避け、かつ、前記スクレーパ３０の停止時におけるワイヤ５０の弛緩に対応すべく、前記遊挿穴２６に連なって下面が開口した切欠開口部２７（前記遊挿穴２６と合わせて鍵穴形状）が形成されている。
【００２２】
前記スクレーパ３０は、図２、図３に示される如くに、前記溝構造の除糞ピット２０の左右の側壁に対面する左右一対の矩形板状の側板３２、３２を有する機体３１を備えている。この機体３１は、側板３２、３２の前後端部付近を橋架連結する横架メンバ３３、３３と、前記側板３２、３２の中央部付近に架設された左右方向に伸びる板状の掻き取り刃３５とを備えている。前記横架メンバ３３、３３の中央部上には前後方向に沿って牽引用の心棒５２が連結固定されており、この心棒５２の前後端部には、末端部が三つ又状とされているワイヤ５０，５０の真ん中のもの（メインワイヤ）が連結され、前記ワイヤ５０、５０の三つ又状末端部の左右両側のものは、前記側板３２、３２に固定された係止部材５６、５６に連結されている。また、前記心棒５２には、前記掻き取り刃３５を上下させるねじ棒５３が配設されている。
【００２３】
前記掻き取り刃３５は、側板３２、３２の底面（鶏糞受け面部２１）に対して４５度程度傾斜せしめられるとともに、鶏糞受け面部２１に擦らないように、その下端が側板３２、３２の底面から数ｍｍ程度上方に位置せしめられている。また、側板３２、３２と除糞ピット２０の左右の側壁との間の摺動摩擦抵抗を軽減するため、側板３２、３２の前後端部には、支持部材３４、３４を介して、前記除糞ピット２０の左右の側壁に当接して転動するローラー３７が配設されている。
【００２４】
上記に加え、スクレーパ３０の機体３１の横架メンバ３３、３３上には、ボルト類等の連結部材４４を介して、前記侵入防止扉１５を押し開くための押し開き具４０が水平面に沿って配設されている。この押し開き具４０は、その前後端部４２ａ、４２ｂが機体３１の前端（ローラー３７）から前方及びその後端（ローラー３７）から後方にそれぞれ突出するように、２本の押し棒４２、４２とそれらを橋架する横棒４３、４３とを有する梯子状ないしパンタグラフ状の構造とされ、前記押し棒４２、４２の前後端部（侵入防止扉１５との接当部）４２ａ、４３ｂは、接当時の衝撃及び摩擦を軽減すべく、横倒しＵ字状ないしＣ字状に丸められている。この押し開き具４０の前後端部４２ａ、４２ａ、４２ｂ、４２ｂは、図４に前端部４２ａ、４２ａが代表して示されているように、侵入防止扉１５の中央部（前記遊挿穴２６付近）より若干（例えば約３０ｍｍ）上方の、前記中央部を通る鉛直面を中心として左右対称部位に接当するようになっている。
【００２５】
このような構成とされた本実施形態の鶏舎１の除糞設備５においては、定期的（例えば、９：００と１６：００）に除糞作業を行う。除糞作業にあたっては、図外の巻取り機でワイヤ５０を巻き取ってスクレーパ３０を牽引し、スクレーパ３０を図１に示される待機面部２２からピット２０内（鶏糞受け面部２１）に引き出し、鶏糞受け面部２１上を走行させる。これにより、図５に示される如くに、掻き取り刃３５によって、鶏糞受け面部２１に落下して堆積した鶏糞Ｄが掻き取られていく。そして、スクレーパ３０がピット２０（鶏糞受け面部２１）の出口近くに達すると、図６に示される如くに、スクレーパ３０に設けられた押し開き具４０の前端部４２ａ、４２ａが侵入防止扉１５に接当して、これを押し開く。
【００２６】
この場合、侵入防止扉１５はスクレーパ３０の走行に同期して開き、牽引状態を維持したままのワイヤ５０部分は、侵入防止扉１５の遊挿穴２６及び切欠開口部２７が通るので、ワイヤ５０と侵入防止扉１５とが干渉することはなく、侵入防止扉１５はスムーズに開かれる。この押し開き時においては、侵入防止扉１５が押し開き具４０の押し棒４２上端まで開かれると、スクレーパ３０の進行に合わせて押し棒４２上端が侵入防止扉１５の下端部を支えた状態で擦りながら滑り、侵入防止扉１５が開かれたまま、スクレーパ３０が通過する。スクレーパ３０が侵入防止扉１５を通過した後は、図７に示される如くに、侵入防止扉１５は自重で閉まる。
【００２７】
その後は、スクレーパ３０がさらに走行せしめられ、掻き取り刃３５により掻き取られた鶏糞Ｄは、図７に示される如くに、鶏糞落とし込み所２５に落とし込まれ、その後、鶏糞発酵乾燥施設等に搬出されて処理される。
【００２８】
このようにして、鶏糞Ｄを搬出した後は、スクレーパ３０は、前記鶏糞搬出時とは逆方向に牽引走行せしめられて、元の待機位置に戻される。この逆走行時においても、前記侵入防止扉１５に押し開き具４０の後端部４２ｂ、４２ｂが接当して、これを前記と同様に押し開き、スクレーパ３０が通過後、侵入防止扉１５は自重で閉まることになる。
【００２９】
このような構成とされた本実施形態の除糞設備５では、除糞ピット２０と外部との間を遮断閉鎖する侵入防止扉１５が設けられ、この侵入防止扉１５は、スクレーパ３０が接当することによって押し開けられるとともに、スクレーパ３０が通過すると自重で閉まるようにされるので、害獣の飼育室１０内への侵入を確実に防止できるとともに、鶏糞の搬出作業に支障を来すことはない。
【００３０】
また、侵入防止扉１５は、スクレーパ３０の走行に同期して自動的に開閉されることから、扉の開閉にリミットスイッチや電気式アクチュエータ等を利用する場合に比して、既存の設備に対して追加増設しなければならない機器・器具類が格段に少なくて済み、その結果、保守管理が容易となるとともに、コスト面でも有利となる。
【図面の簡単な説明】
【００３１】
【図１】本考案に係る鶏舎の除糞設備の一実施形態を示す部分切欠概略側面図。
【図２】図１に示される除糞設備で使用されるスクレーパを示す平面図。
【図３】図２に示されるスクレーパの部分切欠側面図。
【図４】図１に示される除糞設備に設けられた侵入防止扉を示す斜視図。
【図５】図１に示される除糞設備における除糞作業時の様子を示す部分切欠概略側面図。
【図６】図１に示される除糞設備における除糞作業時の様子を示す部分切欠概略側面図。
【図７】図１に示される除糞設備における除糞作業時の様子を示す部分切欠概略側面図。
【符号の説明】
【００３２】
１    鶏舎
５    除糞設備
１０  飼育室
１１  ケージ
１５  侵入防止扉
１６  ヒンジ部材（蝶番）
１７  重り
２０  除糞ピット
３０  スクレーパ
３１  機体
３５  掻き取り刃
４０  押し開き具
５０  ワイヤ
Ｄ    鶏糞
【図１】
0003138296.tif 000003
【図２】
0003138296.tif 000004
【図３】
0003138296.tif 000005
【図４】
0003138296.tif 000006
【図５】
0003138296.tif 000007
【図６】
0003138296.tif 000008
【図７】
0003138296.tif 000009